(57)【特許請求の範囲】
【請求項１】
ユーザにサービスを利用した会員に対しサービス利用量に比例してためることができる航空会社のマイレージポイント又はクレジットカード会社のカードポイントとして加算されるポイントを付与するポイント付与サーバと通信する健康器具であって、
ユーザの運動量を計測する運動量計測部と、
前記ポイント付与サーバが付与するポイント数に対応付けられた所定の文字列又は画像を格納するデータ格納部と、
前記運動量計測部が計測した運動量が、規定運動量になったときに、前記データ格納部に格納されている前記所定の文字列又は画像を、前記ポイントを付与させるべく前記ポイント付与サーバに出力する出力部と
を備えることを特徴とする健康器具。
【請求項２】
前記健康器具による運動は、反復運動であり、
前記運動量計測部は、前記反復運動の回数を、前記運動量として計測し、
前記出力部は、前記運動量計測部が計測した前記反復運動の回数が、規定運動量を示す規定回数になったときに、前記所定の文字列又は画像を出力することを特徴とする請求項１に記載の健康器具。
【請求項３】
前記健康器具を最初に動かした時からの経過時間を計測する経過時間計測部を更に備え、
前記出力部は、更に、前記運動量計測部が計測した運動量が、前記規定運動量になるまでの経過時間が、所定値以内であることを条件に、前記所定の文字列又は画像を出力することを特徴とする請求項１に記載の健康器具。
【請求項４】
前記健康器具を最初に動かした時からの経過時間を計測する経過時間計測部を更に備え、
前記データ格納部は、更に、複数の前記文字列又は画像を、複数の前記経過時間毎に対応付けて格納し、
前記出力部は、前記運動量計測部が計測した運動量が、前記規定運動量になったときに、前記経過時間に対応する前記文字列又は画像を出力することを特徴とする請求項１に記載の健康器具。
【請求項５】
前記健康器具の非使用時に、前記運動量計測部の計測結果の累積値である累積運動量を保存する運動量保存部を更に備え、
前記出力部は、再使用時に検出したユーザの運動量と、前記累積運動量の和が、前記規定運動量になったときに、前記所定の文字列又は画像を出力することを特徴とする請求項１に記載の健康器具。
【請求項６】
前記運動量保存部は、複数の前記ユーザ毎に、前記累積運動量を格納し、
再使用時に、前記複数のユーザを互いに識別する情報を取得するユーザ識別情報取得部を更に備え、
前記出力部は、前記ユーザ識別情報取得部に対応する前記累積運動量を、前記運動量保存部から取得して用いることを特徴とする請求項５に記載の健康器具。
【請求項７】
前記ユーザに関する情報であるユーザ情報を取得するユーザ情報取得部と、
前記ユーザ情報を用いて、前記所定の文字列又は画像を加工する加工部とを更に備え、
前記出力部は、加工後の前記所定の文字列又は画像を出力することを特徴とする請求項１に記載の健康器具。
【請求項８】
前記ユーザに関する情報であるユーザ情報を取得するユーザ情報取得部と、
前記データ格納部は、更に、複数の前記文字列又は画像を、それぞれ、複数のユーザ情報に対応付けて格納し、
前記出力部は、前記運動量計測部が計測した運動量が、前記規定運動量になったときに、前記ユーザ情報取得部が取得した前記ユーザ情報に対応する前記文字列又は画像を出力することを特徴とする請求項１に記載の健康器具。
【請求項９】
前記ユーザに関する情報であるユーザ情報を取得するユーザ情報取得部と、
前記データ格納部は、更に、複数の前記文字列又は画像を、それぞれ、複数の規定運動量に対応付けて格納し、
前記出力部は、前記運動量計測部が計測した運動量が、一の前記規定運動量になったときに、前記一の規定運動量に対応する前記文字列又は画像を出力することを特徴とする請求項１に記載の健康器具。
【請求項１０】
前記健康器具の個体を互いに識別する情報である器具識別情報を格納する識別情報格納部と、
前記器具識別情報を用いて、前記所定の文字列又は画像を加工する加工部と
を更に備え、
前記出力部は、加工後の前記所定の文字列又は画像を出力することを特徴とする請求項１に記載の健康器具。
【請求項１１】
前記健康器具の個体を互いに識別する情報である器具識別情報を外部から取得する識別情報取得部と
前記器具識別情報を用いて、前記所定の文字列又は画像を加工する加工部と
を更に備え、
前記出力部は、加工後の前記所定の文字列又は画像を出力することを特徴とする請求項１に記載の健康器具。
【請求項１２】
使用するユーザに運動を行わせる健康器具と通信し、ユーザにサービスを利用した会員に対しサービス利用量に比例してためることができる航空会社のマイレージポイント又はクレジットカード会社のカードポイントとして加算されるポイントを付与するポイント付与サーバであって、
前記健康器具における前記ユーザの運動量が規定運動量になったときに前記健康器具から出力された文字列又は画像を取得するデータ取得部と、
文字列又は画像をポイント数に対応付けるポイント変換テーブルを用いて、前記データ取得部が取得した前記文字列又は画像を、ポイント数に変換する変換部と、
変換部で生成した前記ポイント数を、前記ユーザのポイント数を増加させるために出力する出力部と
を備えることを特徴とするポイント付与サーバ。
【請求項１３】
前記データ取得部は、複数種類の文字列又は画像を取得し、
前記変換テーブルは、前記複数種類の文字列又は画像の組合せを、前記ポイント数に対応付け、
前記変換テーブルは、前記複数種類の文字列又は画像の組合せを、前記ポイント数に変換することを特徴とする請求項１２に記載のポイント付与サーバ。
【請求項１４】
使用するユーザに運動を行わせる健康器具と、前記健康器具と通信し、前記健康器具を使用したユーザにサービスを利用した会員に対しサービス利用量に比例してためることができる航空会社のマイレージポイント又はクレジットカード会社のカードポイントとして加算されるポイントを付与するポイント付与サーバとを備えるポイント付与システムであって、
前記健康器具は、
ユーザの運動量を計測する運動量計測部と、
所定の文字列又は画像を格納するデータ格納部と、
前記運動量計測部が計測した運動量が、規定運動量になったときに、前記データ格納部に格納されている前記所定の文字列又は画像を前記ポイント付与サーバに出力する出力部とを有し、
前記ポイント付与サーバは、
前記健康器具の前記出力部が出力した文字列又は画像を特定する情報を取得するデータ取得部と、
文字列又は画像をポイント数に対応付けるポイント変換テーブルを用いて、前記データ取得部が取得した情報から前記文字列又は画像を特定し、前記文字列又は画像を、ポイント数に変換する変換部と、
変換部で生成した前記ポイント数を、前記ユーザのポイント数を増加させるために出力する出力部とを有することを特徴とするポイント付与システム。
【請求項１５】
健康器具を使用したユーザにポイント付与サーバによりサービスを利用した会員に対しサービス利用量に比例してためることができる航空会社のマイレージポイント又はクレジットカード会社のカードポイントとして加算されるポイントを付与するポイント付与方法であって、
前記健康器具は、ユーザの運動量を計測し、計測した運動量が規定運動量になったときに、所定の文字列又は画像を前記ポイント付与サーバへ出力し、
前記ポイント付与サーバは、前記健康器具が出力した所定の文字列又は画像を取得し、
取得した前記文字列又は画像に対応するポイント数を、前記ユーザのポイント数を増加させるために出力することを特徴とするポイント付与方法。
【請求項１６】
ユーザにサービスを利用した会員に対しサービス利用量に比例してためることができる航空会社のマイレージポイント又はクレジットカード会社のカードポイントとして加算されるポイントを付与するポイント付与サーバと通信する健康器具におけるユーザの運動量に基づいた処理を行うためのコンピュータのプログラムであって、前記コンピュータに、
前記健康器具におけるユーザの運動量を計測する運動量計測機能、および、
前記運動量計測機能が計測した運動量が、規定運動量になったときに、データ格納部に格納されている所定の文字列又は画像を読み出して前記ポイント付与サーバへ出力する出力機能を実現させるプログラム。
【発明の詳細な説明】
【０００１】
【発明の属する技術分野】
本発明は、運動を行うことにより、航空会社のマイレージの付与、クレジットカードのポイント付与等のサービスを提供することができる、健康器具、ポイント付与サーバ、ポイント付与システム、ポイント付与方法、及びプログラムに関する。
【０００２】
【従来の技術】
航空会社やクレジット会社等では、自社のサービスを利用した会員に対し、サービス利用量に比例したポイントを付与するサービスを行っている。
一方、最近の健康への意識の高まりから、多くの種類の健康器具がメーカから提供されている。
【０００３】
【発明が解決しようとする課題】
継続的な健康器具の使用は健康の維持に有効である。しかし、従来の健康器具では、ユーザの実際の運動によってマイレージポイント又はカードポイントという金銭的な価値を持つポイントを付与することでユーザにポイントをためるという目標を持って運動してもらい、健康器具の継続的な使用を促すことは難しかった。
【０００４】
そこで本発明は、上記の課題を解決することのできる健康器具、ポイント付与サーバ、ポイント付与システム、ポイント付与方法、及びプログラムを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、ユーザにサービスを利用した会員に対しサービス利用量に比例してためることができる航空会社のマイレージポイント又はクレジットカード会社のカードポイントとして加算されるポイントを付与するポイント付与サーバと通信する健康器具であって、ユーザの運動量を計測する運動量計測部と、前記ポイント付与サーバが付与するポイント数に対応付けられた所定の文字列又は画像を格納するデータ格納部と、前記運動量計測部が計測した運動量が、規定運動量になったときに、前記データ格納部に格納されている前記所定の文字列又は画像を、前記ポイントを付与させるべく前記ポイント付与サーバに出力する出力部とを備えることを特徴とする健康器具を提供する。
【０００６】
上記第１の形態において、健康器具による運動は、反復運動であり、運動量計測部は、反復運動の回数を、運動量として計測し、出力部は、運動量計測部が計測した反復運動の回数が、規定運動量を示す規定回数になったときに、所定の文字列又は画像を出力してもよい。
健康器具を最初に動かした時からの経過時間を計測する経過時間計測部を更に備え、出力部は、更に、運動量計測部が計測した運動量が、規定運動量になるまでの経過時間が、所定値以内であることを条件に、所定の文字列又は画像を出力してもよい。
健康器具を最初に動かした時からの経過時間を計測する経過時間計測部を更に備え、データ格納部は、更に、複数の文字列又は画像を、複数の経過時間毎に対応付けて格納し、出力部は、運動量計測部が計測した運動量が、規定運動量になったときに、経過時間に対応する文字列又は画像を出力してもよい。
健康器具の非使用時に、運動量計測部の計測結果の累積値である累積運動量を保存する運動量保存部を更に備え、出力部は、再使用時に検出したユーザの運動量と、累積運動量の和が、規定運動量になったときに、所定の文字列又は画像を出力してもよい。この場合、運動量保存部は、複数のユーザ毎に、累積運動量を格納し、再使用時に、複数のユーザを互いに識別する情報を取得するユーザ識別情報取得部を更に備え、出力部は、ユーザ識別情報取得部に対応する累積運動量を、運動量保存部から取得して用いてもよい。
ユーザに関する情報であるユーザ情報を取得するユーザ情報取得部と、ユーザ情報を用いて、所定の文字列又は画像を加工する加工部とを更に備え、出力部は、加工後の所定の文字列又は画像を出力してもよい。
ユーザに関する情報であるユーザ情報を取得するユーザ情報取得部と、データ格納部は、更に、複数の文字列又は画像を、それぞれ、複数のユーザ情報に対応付けて格納し、出力部は、運動量計測部が計測した運動量が、規定運動量になったときに、ユーザ情報取得部が取得したユーザ情報に対応する文字列又は画像を出力してもよい。
ユーザに関する情報であるユーザ情報を取得するユーザ情報取得部と、データ格納部は、更に、複数の文字列又は画像を、それぞれ、複数の規定運動量に対応付けて格納し、出力部は、運動量計測部が計測した運動量が、一の規定運動量になったときに、一の規定運動量に対応する文字列又は画像を出力してもよい。
健康器具の個体を互いに識別する情報である器具識別情報を格納する識別情報格納部と、器具識別情報を用いて、所定の文字列又は画像を加工する加工部とを更に備え、出力部は、加工後の所定の文字列又は画像を出力してもよい。また、健康器具の個体を互いに識別する情報である器具識別情報を外部から取得する識別情報取得部と器具識別情報を用いて、所定の文字列又は画像を加工する加工部とを更に備え、出力部は、加工後の所定の文字列又は画像を出力してもよい。
【０００７】
本発明の第２の形態は、使用するユーザに運動を行わせる健康器具と通信し、ユーザにサービスを利用した会員に対しサービス利用量に比例してためることができる航空会社のマイレージポイント又はクレジットカード会社のカードポイントとして加算されるポイントを付与するポイント付与サーバであって、前記健康器具における前記ユーザの運動量が規定運動量になったときに前記健康器具から出力された文字列又は画像を取得するデータ取得部と、文字列又は画像をポイント数に対応付けるポイント変換テーブルを用いて、前記データ取得部が取得した前記文字列又は画像を、ポイント数に変換する変換部と、変換部で生成した前記ポイント数を、前記ユーザのポイント数を増加させるために出力する出力部とを備えることを特徴とするポイント付与サーバを提供する。
【０００８】
上記第２の形態において、データ取得部は、複数種類の文字列又は画像を取得し、変換テーブルは、複数種類の文字列又は画像の組合せを、ポイント数に対応付け、変換テーブルは、複数種類の文字列又は画像の組合せを、ポイント数に変換してもよい。
【０００９】
本発明の第３の形態は、使用するユーザに運動を行わせる健康器具と、前記健康器具と通信し、前記健康器具を使用したユーザにサービスを利用した会員に対しサービス利用量に比例してためることができる航空会社のマイレージポイント又はクレジットカード会社のカードポイントとして加算されるポイントを付与するポイント付与サーバとを備えるポイント付与システムであって、前記健康器具は、ユーザの運動量を計測する運動量計測部と、所定の文字列又は画像を格納するデータ格納部と、前記運動量計測部が計測した運動量が、規定運動量になったときに、前記データ格納部に格納されている前記所定の文字列又は画像を前記ポイント付与サーバに出力する出力部とを有し、前記ポイント付与サーバは、前記健康器具の前記出力部が出力した文字列又は画像を特定する情報を取得するデータ取得部と、文字列又は画像をポイント数に対応付けるポイント変換テーブルを用いて、前記データ取得部が取得した情報から前記文字列又は画像を特定し、前記文字列又は画像を、ポイント数に変換する変換部と、変換部で生成した前記ポイント数を、前記ユーザのポイント数を増加させるために出力する出力部とを有することを特徴とするポイント付与システムを提供する。
【００１０】
本発明の第４の形態は、健康器具を使用したユーザにポイント付与サーバによりサービスを利用した会員に対しサービス利用量に比例してためることができる航空会社のマイレージポイント又はクレジットカード会社のカードポイントとして加算されるポイントを付与するポイント付与方法であって、前記健康器具は、ユーザの運動量を計測し、計測した運動量が規定運動量になったときに、所定の文字列又は画像を前記ポイント付与サーバへ出力し、前記ポイント付与サーバは、前記健康器具が出力した所定の文字列又は画像を取得し、取得した前記文字列又は画像に対応するポイント数を、前記ユーザのポイント数を増加させるために出力することを特徴とするポイント付与方法を提供する。
【００１１】
本発明の第５の形態は、ユーザにサービスを利用した会員に対しサービス利用量に比例してためることができる航空会社のマイレージポイント又はクレジットカード会社のカードポイントとして加算されるポイントを付与するポイント付与サーバと通信する健康器具におけるユーザの運動量に基づいた処理を行うためのコンピュータのプログラムであって、前記コンピュータに、前記健康器具におけるユーザの運動量を計測する運動量計測機能、および、前記運動量計測機能が計測した運動量が、規定運動量になったときに、データ格納部に格納されている所定の文字列又は画像を読み出して前記ポイント付与サーバへ出力する出力機能を実現させるプログラム。
【００１２】
なお、上記の発明の概要は、本発明の必要な特徴の全てを列挙したものではなく、これらの特徴群のサブコンビネーションもまた、発明となりうる。
【００１３】
【発明の実施の形態】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１４】
（第１の実施例）
図１は、本発明の第１の実施例であるポイントシステムの概要を説明するための構成図である。本ポイントシステムは、健康器具１０及びポイント付与サーバ４０から構成される。ポイント付与サーバ４０は、ポイント管理システム５１と、例えば専用線を介して通信する。ポイント付与サーバ４０は、サービス提供企業４が管理する。ポイント管理システム５１は、航空会社或いはクレジットカード会社等のポイント管理会社５が管理する。
【００１５】
本形態において、サービス提供企業４、又はサービス提供企業４とポイントシステムに関して提携した企業（及びその関連企業）により製造された健康器具１０は、流通網を通してお店２に対して販売される。お店２は購入もとの企業（サービス提供企業４）に対して健康器具１０の購入代金を支払う。このとき健康器具１０の購入代金には、ポイントサービスに必要な費用が含まれており、サービス提供企業は健康器具１０を販売した時点でポイントサービスに必要な費用を受領している。お店２は購入元のきぎょうから購入した金額に所定の利益を上乗せした販売金額で販売する。ユーザ３は、お店２（通信販売やオンラインショッピングでも可）から健康器具１０を購入する。
ユーザ３が健康器具１０を使用して規定運動量ほど運動を行うと、健康器具１０は、文字列又は画像、例えばパスワードを出力する。ユーザ３は、インターネット或いは電話回線等の通信網或いはオペレータ６を介して、健康器具１０が出力した文字列又は画像をポイント付与サーバ４０に入力する。この際、ユーザ３は、文字列又は画像をそのままポイント付与サーバ４０に入力するのではなく、文字列又は画像を特定する情報を入力してもよい。この情報の例としては、例えば画像が示す物体の名称、或いは英単語に対応する日本語の単語等がある。
【００１６】
ポイント付与サーバ４０は、取得した文字列又は画像に対応するポイント数、或いは取得した情報が特定する文字列又は画像に対応するポイント数を、ユーザ３に付与するために、ポイント管理システム５１に送信する。
そして、ポイント管理システム５１は、ポイント付与サーバ４０から受信したポイント数を、ユーザ３のポイント数に加算する。
【００１７】
上記したサービスにおいて、サービス提供企業４は健康器具１０を販売した時点でポイントサービスに必要な費用を受領しているので、ポイント付与サーバ４０がポイント管理システム５１に出力したポイント数に相当する金額をポイント管理会社５に支払う。この支払いは、ポイント出力と同時に行ってもよいし、例えば毎月特定の日にまとめて支払うようにしてもよい。この際、ポイントと金額の返還比率を定めるデータを、サービス提供企業４及びポイント管理会社５は、共有する。これにより、費用負担に関する処理は明確になる。
ここで、ポイント付与サーバ４０は、出力したポイント数に応じた金額を算出する機能を備えてもよい。また、ポイント管理システム５１は、受け取ったポイント数に応じた金額を算出する機能を備えてもよい。
【００１８】
健康器具１０には、取扱説明書、ポイントサービス会員申込書、保証書が付属している。健康器具１０には、シリアル番号２３が付与されている。保証書には、シリアル番号２３、及びプロダクトＩＤ２６が記載されている。シリアル番号２３及びプロダクトＩＤ２６は、シール若しくは銀コートなどにより、購入後にユーザが剥がすまでは見えないようにしておいてもよい。シリアル番号２３は、本発明に係る器具識別情報の一例である。また、プロダクトＩＤ２６を器具識別情報として用いてもよい。
【００１９】
図２は、シリアル番号２３及びプロダクトＩＤ２６の構成の一例を示す。本例において、シリアル番号２３は、商品分類番号２１と製造番号２２とからなる。プロダクトＩＤ２６は、製品毎に異なる数字列（又は英数字列や英数字記号列）２４と、数字列２４を暗号化した暗号化データ列２５とからなる。ここで、数字列２４は、製造番号２２と同じ番号でもよい。
【００２０】
なお、ユーザ３は、ポイントサーバ４０に、文字列又は画像と共に、少なくとも以下の情報を入力する。（１）ポイントサービス会員番号（ポイント管理会社５から連絡済み）。（２）シリアル番号２３（健康器具１０及び保証書３３に記載）。（３）プロダクトＩＤ２６（保証書３３に記載）。（４）氏名、電話番号等（ユーザ３に連絡する必要が出てきたときに使用するため）。ここで、健康器具１０が、文字列又は画像、及び上記した情報を、通信網を介して直接ポイント付与サーバ４０に送信してもよい。
オペレータ６を介して文字列又は画像をポイント付与サーバ４０に入力する場合、ユーザ３は、オペレータ６又は自動受付システムに上記した情報を伝える。
【００２１】
図３は、健康器具１０の構成の一例を示す。本例において、健康器具１０は、情報格納部として、データ格納部１００、識別情報格納部１１０、ユーザ情報格納部１２０を有し、機能部として、入力部１３０、経過時間計測部１４０、運動量計測部１５０、積算部１６０、出力部１７０、加工部１８０、及び表示部１９０を有する。ユーザ情報格納部１２０は、本発明に係る累積運動量保存部の一例である。
健康器具１０は、例えば図４に例示するように万歩計であるが、その他、ステッパー、ダンベル、ツイスター、縄跳び用のロープ、ポッピング、エアロバイク、ウォーカー、及び体を使ってゲームを行うパーティーゲームなどがある。本例において、健康器具１０は、複数のユーザが使用可能な形態となっている。
【００２２】
データ格納部１００は、健康器具１０が出力する文字列又は画像を格納する。
図５は、データ格納部１００のデータ構成の一例を示す。本例において、データ格納部１００は、性毎のテーブルを有する。各テーブルは、運動量、及び当該運動時間に達するまでの経過時間を行及び列としたマトリックスとして、文字列を格納する。すなわち、本例に示すデータ格納部１００を用いることで、健康器具１０は、ユーザ情報の一例である性別、運動量及び経過時間に応じた文字列又は画像を選択して出力することができる。
【００２３】
図６は、データ格納部１００のデータ構成の他の例を示す。本例において、データ格納部１００は、図５に例示したデータ格納部１００の構成と概略同じであるが、テーブルのマトリックスの行が、経過時間ではなくユーザの年齢となっている。本例に示すデータ格納部１００を用いることで、健康器具１０は、性別、及びユーザ情報の他の例である年齢に応じた文字列又は画像を選択して出力することができる。
【００２４】
図３に戻る。識別情報格納部１１０は、健康器具１０の個体を互いに識別する情報である器具識別情報を格納する。
【００２５】
ユーザ情報格納部１２０は、ユーザ３による運動器具１０の使用状態を示す情報を格納する。
図７は、ユーザ情報格納部１２０のデータ構成の一例を示す。本例において、ユーザ情報格納部１２０は、ユーザＩＤ、性別、年齢、累積運動量、及び経過時間の各フィールドを含む。すなわち、本例によれば、ユーザ情報格納部１２０は、ユーザの性別、年齢、累積運動量、及び経過時間を、複数のユーザ毎に格納できる。ここで、ユーザＩＤフィールドは、ユーザＩＤではなくユーザ名を格納してもよい。
【００２６】
図３に戻る。入力部１３０は、健康器具１０の電源スイッチを含み、健康器具１０の電源がＯＮになると、その旨を経過時間計測部１４０及び積算部１６０に送信する。また、入力部１３０は、ユーザ３からユーザＩＤを取得し、経過時間計測部１４０及び積算部１６０に出力する。
【００２７】
経過時間計測部１４０は、入力部１３０から電源ＯＮを受信すると、電源ＯＦＦまでに時間を計測する。また、入力部１３０からユーザＩＤを受信すると、当該ユーザＩＤに対応して格納されている経過時間を、ユーザ情報格納部１２０から取得する。そして、新たに計測した時間を、ユーザ格納部１２０から取得した経過時間に加算して更新する。すなわち、経過時間計測部１４０は、運動器具１０が使用された時間、つまり経過時間をユーザ毎に計測する。そして、経過時間計測部１４０は、出力部１７０から要求があると、更新後の経過時間を出力部１７０に出力する。また、経過時間計測部１４０は、入力部１３０から電源ＯＦＦを受信すると、更新後の経過時間をユーザ情報格納部１２０に出力して、ユーザ情報格納部１２０内の経過時間を更新する。
【００２８】
運動量計測部１５０は、健康器具１０の利用すなわちユーザの運動を検知し、その運動量を計測して積算部１６０に出力する。運動量計測部１５０は、健康器具１０が万歩計、ステッパー、ダンベル、縄跳び用のロープ、ポッピング等、ユーザの反復運動に伴って振動が発生する器具である場合は、健康器具１０の振動回数を、運動量として計測する。また、健康器具１０がツイスターすなわちユーザに反復ひねり運動を行わせる器具である場合、ツイストに伴って反復駆動する部分の反復駆動回数を、運動量として計測する。また、健康器具がエアロバイク、ウォーカー等、ユーザに連続する運動を行わせる装置である場合、その連続運動量、例えば駆動部の回転数を、運動量として計測する。
【００２９】
積算部１６０は、入力部１３０からユーザＩＤを取得すると、当該ユーザＩＤに対応して格納されている累積運動量を、ユーザ情報格納部１３０から取得する。そして、運動量計測部１５０から運動量を受信すると、積算部１６０は、取得した累積運動量に、受信した運動量を積算することで、累積運動量を更新する。そして、積算部１６０は、更新後の累積運動量を出力部１７０に出力する。また、積算部１６０は、入力部から電源ＯＦＦを受信すると、更新後の経過時間をユーザ情報格納部１２０に出力して、ユーザ情報格納部１２０の累積運動量を更新する。
【００３０】
出力部１７０は、積算部１６０から受信した累積運動量が、データ格納部１００の行又は列を構成する運動量になった場合、当該運動量、その時点での経過時間、及びユーザ情報に相当する文字列又は画像の出力依頼を加工部１８０に出力する。そして、出力部１７０は、加工部１８０から文字列又は画像を受信すると、受信した文字列又は画像を、表示部１９０に出力する。
なお、出力部１７０は、受信した文字列又は画像を、必要な情報と共に、通信網を介して直接ポイント付与サーバ４０に出力してもよい。また、出力部１７０は、外部の表示装置に受信した文字列又は画像を出力し、表示させてもよい。
【００３１】
加工部１８０は、出力部１７０から文字列又は画像の出力依頼を受信すると、対応する文字列又は画像をデータ格納部１００から読み出す。また、加工部１８０は、識別情報格納部１１０に格納されている器具識別情報を読み出し、所定の規則に従い、器具識別情報をキーにして文字列又は画像を加工する。ここでの加工には、暗号化も含まれる。
【００３２】
表示部１９０は、出力部１７０から受信した文字列又は画像を、ユーザに認知させるために表示する。
【００３３】
図８は、ポイント付与サーバ４０の構成の一例を示す。本例において、ポイント付与サーバ４０は、データ格納部として、ユーザ格納部３１０及び付与ポイント格納部３２０を有し、機能部として、データ取得部３３０、ユーザ認証部３４０、及び変換部３６０を有する。ユーザ認証部３４０は、認証テーブル３５０を有する。
【００３４】
ユーザ格納部３１０は、ポイント付与サーバ４０を利用したユーザの各種情報を格納する。
図９は、ユーザ格納部３１０のデータ構成の一例を示す。本例において、ユーザ格納部３１０は、ユーザＩＤ、ユーザ名、ポイントサービスＩＤ、年齢、性別、及びポイント履歴の各フィールドを有する。ユーザ格納部３１０に格納される年齢、性別等は、ポイント管理システム５１のデータに照合することで信頼性を維持する。
ユーザＩＤフィールドは、ユーザに付与されたポイント付与サーバ４０のユーザＩＤを格納する。ポイントサービスＩＤフィールドは、ポイント管理会社５により付与されたＩＤを格納する。
ポイント履歴フィールドは、更に、健康器具名、シリアル番号、及びステップの各フィールドを有する。健康器具名及びシリアル番号のフィールドは、ユーザが利用した健康器具名及びシリアル番号を格納する。ステップフィールドは、各健康器具で、ポイント付与対象となっている運動量が複数段階に分かれている場合、各段階でのポイント申請の有無を示すデータを格納する。
【００３５】
図８に戻る。付与ポイント格納部３２０は、ユーザに付与すべきポイント数を特定するデータを格納する。
図１０は、付与ポイント格納部３２０のデータ構成の一例を示す。本例において、付与ポイント格納部３２０は、文字列又は画像と、付与ポイント数とを対応したテーブルを有する。
【００３６】
図９に戻る。データ取得部３３０は、オペレータ６から、文字列又は画像、及び必要な情報を取得し、取得した情報をユーザ認証部３４０に出力する。ここで、データ取得部３３０は、通信網を介して健康器具１０又はユーザの端末から文字列又は画像、及び必要な情報を取得してもよい。
【００３７】
ユーザ認証部３４０は、データ取得部３３０から受信した情報、及び認証テーブル３５０を用いて、ユーザへのポイント付与を認証する。そして、認証した場合、データ取得部３３０から受信した情報を、変換部３６０に出力する。
図１１は、認証テーブル３５０のデータ構成の一例を示す。本例において、認証テーブル３５０は、シリアル番号又はプロダクトＩＤと、文字列又は画像とを対応付ける。すなわち、ユーザ認証部３４０は、受信したシリアル番号又はプロダクトＩＤと文字列又は画像の組合せが認証テーブル３５０と一致した場合は、ユーザへのポイント付与を認証する。ここで、文字列又は画像が加工されている場合、ユーザ認証部３４０は、健康器具１０の加工部１８０と同じ規則に従い、加工された文字列又は画像を元に戻す処理を行う。すなわち、ユーザ認証部３４０は、シリアル番号又はプロダクトＩＤを一の文字列と認識することで、複数種類の文字列又は画像の組合せをポイント数に対応づけている。
【００３８】
図８に戻る。変換部３６０は、ユーザ認証部３４０から受信した文字列又は画像に対応するポイント数を、付与ポイント格納部３２０から読み出し、読み出したポイント数を、ユーザに付与すべきポイント数と認識する。そして、変換部３６０は、ユーザのポイントサービスＩＤをユーザ格納部３１０から読みだし、認識したポイント数に対応付けてポイント管理システム５１に出力する。
【００３９】
図１２は、本ポイント付与システムの全体の動作例を説明するフローチャートである。
本例において、まず、ユーザ３は、お店２から健康器具１０を購入する（ステップＳ１１０）。ユーザ３は、ポイントサービス会員申込書に所定事項を記入してポイント管理会社５に送付する（ステップＳ１２０）。ポイント管理会社５は、ポイントサービス会員申込書の記載事項に基づいてポイントサービス会員登録を行い（ステップＳ１３０）、ポイントサービス会員番号（ポイントサービス会員証）を発行してユーザ３に送付する（ステップＳ１４０）。なお、このポイントサービス会員申込書は通常にポイント管理会社５で使用されているものと同じであり、ユーザ３が既にポイント管理会社５のポイントサービス会員となっている場合には、ステップＳ１１０〜ステップＳ１４０は省略可能である。
【００４０】
そして、ユーザ３は、健康器具１０にユーザ情報を入力し（ステップＳ１５０）、ユーザ３が健康器具１０を使用して運動を行う（ステップＳ１６０）と、健康器具１０から文字列又は画像が出力される（ステップＳ１７０）。ユーザ３は、出力された文字列又は画像をサービス提供企業４に連絡すること、すなわちポイント付与サーバ４０に入力してもらうことで、ポイント付与の申請を行う（ステップＳ１８０）。連絡方法は、電話、郵送、ＦＡＸ、電子メールで行っても良いし、ホームページで受け付けてもよい。更に、サービス提供会社４がポイント管理会社５に委託して、ポイント管理会社５が実際の受付業務を行ってもよい。ポイント管理会社５が実際の受付業務を行う場合は、管理サーバ４００、場合によってはオペレータ６も含め、ポイント管理会社５に存在することになるのみで、基本的な構成は同じである。
【００４１】
そして、ポイント付与サーバ４０は、入力された各種情報を記録した（ステップＳ１９０）後、ユーザ認証部３４０により認証処理を行う（ステップＳ２００）。そして、変換部３６０は付与すべきポイントを決定し（ステップＳ２１０）、ポイント管理システム５１に送信する（ステップＳ２２０）。そして、ポイント付与サーバ４０又はサービス提供企業４は、ポイント登録通知をユーザ３に行う。
ポイント管理システム５１は、ポイント付与サーバ４０からポイント数を受信すると、受信したポイント数をユーザ３のポイント数に追加する（ステップＳ２３０）。
【００４２】
図１３は、図１２のステップＳ１６０の詳細を示す。健康器具１０の入力部１３０が電源ＯＮを検知する（ステップＳ３１０）と、経過時間計測部１４０及び積算部１６０はユーザＩＤの入力によりユーザ認証を行い（ステップＳ３２０）、認証されたユーザの累積運動量及び経過時間を読み出す（ステップＳ３３０）。そして、経過時間計測部１４０は、経過時間の計測すなわち更新を開始する（ステップＳ３４０）。運動量計測部１５０がユーザの運動を検出する（ステップＳ３５０）と、積算部１６０は累積運動量を更新する（ステップＳ３６０）。
そして、出力部１７０が累積運動量が規定の運動量に達したと判断した場合は、図１２のステップＳ１７０に進む（ステップＳ３７０：Ｙｅｓ）。達していないと判断した場合（ステップＳ３７０：Ｎｏ）、ステップＳ３８０に進む。そして、入力部１３０が電源ＯＦＦを検知していない場合（ステップＳ３８０：Ｎｏ）は、ステップＳ３５０に戻る。また、入力部１３０が電源ＯＦＦを検知した場合（ステップＳ３８０：Ｙｅｓ）、経過時間計測部１４０及び積算部１６０は、経過時間及び累積運動量をユーザ情報格納部１２０に保存して更新する（ステップＳ３９０）。
【００４３】
図１４は、図１２のステップＳ１７０の詳細を示す。出力部１７０は、累積運動量を認識する（ステップＳ４００）と共に、経過時間を認識する（ステップＳ４１０）。そして、出力部１７０は、ユーザ情報、例えば性別や年齢を認識する（ステップＳ４２０）。そして、加工部１８０は、文字列又は画像を選択して（ステップＳ４３０）加工し（ステップＳ４４０）、出力部１７０を介して表示部１９０に送信する。表示部１９０は、受信した文字列又は画像を表示する（ステップＳ４５０）。
【００４４】
図１５は、図１２のステップＳ２００の詳細を示す。ポイント付与サーバ４０のユーザ認証部３４０は、認証テーブル３５０を用いて、シリアル番号が当該健康器具１０のシリアル番号として使用されていた番号の範囲内であるかを確認する（ステップＳ５００）。この際、ユーザ認証部３４０は、文字列又は画像が加工されている場合、元に戻す処理を行う。次に、ユーザ認証部３４０は、過去の記録を参照して、同じシリアル番号が既に受付されていないかを確認する（ステップＳ５１０）。さらに、ユーザ認証部３４０は、文字列又は画像の正当性を、認証テーブル３５０を用いて確認する（ステップＳ５２０）。ここで、シリアル番号が異なる若しくは既に受け付けたシリアル番号である場合、文字列また画像が正当でない場合は、そのことをユーザ３に告知し、ユーザ３からの修正を待つ。修正がない場合（ステップＳ５０５、５１５及び５２５）、受付できない旨をユーザ３に通知して（ステップＳ５５０）処理を終了する。
【００４５】
これらのデータに問題がない場合には、プロダクトＩＤの認証を行う（Ｓ５３０）。プロダクトＩＤを構成する数字列２４を暗号化したデータ列が、受信したプロダクトＩＤに含まれるデータ列２５に一致する場合は、ユーザ３を認証し、一致していない場合は、ユーザ３からの修正を待つ。修正がない場合（ステップＳ５３５）は、受付できない旨をユーザ３に通知して（ステップＳ５５０）処理を終了する。
【００４６】
図１６は、図１２のステップＳ１８０において、文字列又は画像をホームページで受け付ける場合の、当該ホームページの構成例を示す。本例において、ホームページの入力画面は、ポイントサービス会員番号、シリアル番号、プロダクトＩＤ、氏名、電話番号、及び電子メールアドレスの各入力欄と、送信ボタンとを有する。
【００４７】
以上より、本実施形態のポイント付与システムによれば、ユーザ３は、購入した健康器具１０を使用して運動を行うことで、ポイントサービス会社のポイントを得ることができる。すなわち、ユーザ３は、ポイントをためるという目標を持って健康器具１０を使用することで、継続的に運動を行える。すなわち、健康の増進を図ることができる。
【００４８】
また、サービス提供企業４は、本ポイント付与システムを利用して、健康器具１０の販売促進を図ることができる。
また、ポイント管理会社５は、本ポイント付与システムの利用者による会員増加を図ることができる。ポイント管理会社５が航空会社である場合、航空機の利用者数の増加を図ることができる。
【００４９】
また、本ポイント付与システムにおいて、文字列又は画像が正規のユーザ以外に知られたとしても、プロダクトＩＤの照合を行っているため、信頼性は高くなる。さらに、シリアル番号を併用しているため、出荷した製品数を基に申請数を管理することができる。従って、悪意のある人によってサービス提供企業やユーザが被害を被りにくくなる。
【００５０】
また、製造番号又はシリアル番号を暗号化することで、文字列を生成する構成とした場合には、当該文字列と製造番号又はシリアル番号のみで認証を行うことができる。従って、プロダクトＩＤを用いることなく信頼性を上げることができる。
【００５１】
図１７は、健康器具１０のハードウェア構成の一例を示す図である。健康器具１０は、ＣＰＵ６００と、ＲＯＭ６０２と、ＲＡＭ６０４と、通信インターフェース６０６とを備える。ＣＰＵ６００は、ＲＯＭ６０２及びＲＡＭ６０４に格納されたプログラムに基づいて動作する。通信インターフェース６０６は、例えば通信網１０を介してポイント付与サーバ４０と通信する。入力部６０８は、例えば入力ボタン等によりユーザ情報、シリアル番号等の必要な情報をユーザ入力により取得する。格納装置の一例としてのハードディスクドライブ６１０は、設定情報及び動作中に取得した情報を格納する。
【００５２】
ＣＰＵ６００が実行するソフトウエアは、フロッピーディスク（商標）またはＣＤ−ＲＯＭ等の記録媒体に格納されて利用者に提供されてもよい。記録媒体に格納されたソフトウエアは圧縮されていても非圧縮であってもよい。この場合、ソフトウエアは記録媒体からハードディスクドライブ６１０にインストールされ、ＲＡＭ６０４に読み出されてＣＰＵ６００により実行される。
【００５３】
また、この場合の記録媒体としては、フロッピーディスク、ＣＤ−ＲＯＭの他にも、ＤＶＤ等の光学記録媒体、ＭＤ等の磁気記録媒体、ＰＤ等の光磁気記録媒体、テープ媒体、磁気記録媒体、ＩＣカードやミニチュアーカードなどの半導体メモリー等を用いることができる。又、専用通信ネットワークや通信網に接続されたサーバシステムに設けたハードディスクまたはＲＡＭ等の格納装置を記録媒体として使用し、通信網を介してプログラムを健康器具１０に提供してもよい。このような記録媒体は、健康器具１０を製造するためのみに使用されるものであり、そのような記録媒体の業としての製造および販売等が本出願に基づく特許権の侵害を構成することは明らかである。
【００５４】
上記したソフトウェアは、以下の通りである。すなわち、健康器具１０において、前記したソフトウェアは、機能構成として、入力モジュール、経過時間計測モジュール、運動量計測モジュール、積算モジュール、出力モジュール、及び加工モジュールを有する。これらの各モジュールがコンピュータに働きかけて、ＣＰＵ６００に行わせる処理は、それぞれ本実施例における健康器具１０における、対応する部材の機能及び動作と同一であるから説明を省略する。
【００５５】
これらのプログラムはＲＯＭ６０２等の単一の記録媒体に格納されてもよいし、複数の記録媒体に格納されてもよい。また記録媒体に格納されるモジュールは、オペレーティングシステムとの共同によってそれぞれの機能を提供してもよい。例えば機能の一部または全部を行うことをオペレーティングシステムに依頼し、オペレーティングシステムからの応答に基づいて機能を提供するものであってもよい。
【００５６】
図１８は、ポイント付与サーバ４０のハードウェア構成の一例を示す図である。ポイント付与サーバ４０は、ＣＰＵ７００と、ＲＯＭ７０２と、ＲＡＭ７０４と、通信インターフェース７０６、通信インターフェース７０８とを備える。ＣＰＵ７００は、ＲＯＭ７０２及びＲＡＭ７０４に格納されたプログラムに基づいて動作する。通信インターフェース７０６は、例えば通信網１０を介してユーザ端末あるいは健康器具１０と通信する。通信インターフェース７０８は、例えば専用線を介してポイント管理システム５１と通信する。格納装置の一例としてのハードディスクドライブ７１０は、設定情報及びＣＰＵ７００が動作するプログラムを格納する。
【００５７】
フロッピーディスクドライブ７１２はフロッピーディスク７１４からデータまたはプログラムを読み取りＣＰＵ７００に提供する。ＣＤ−ＲＯＭドライブ７１６はＣＤ−ＲＯＭ７１８からデータまたはプログラムを読み取りＣＰＵ７００に提供する。通信インターフェース７０６は、通信網１０に接続してデータを送受信する。
【００５８】
ＣＰＵ７００が実行するソフトウエアは、フロッピーディスク（商標）７１４またはＣＤ−ＲＯＭ７１８等の記録媒体に格納されて利用者に提供される。記録媒体に格納されたソフトウエアは圧縮されていても非圧縮であってもよい。ソフトウエアは記録媒体からハードディスクドライブ７１０にインストールされ、ＲＡＭ７０４に読み出されてＣＰＵ７００により実行される。
【００５９】
記録媒体に格納されて提供されるソフトウエア、即ちハードディスクドライブ７１０にインストールされるソフトウェアは、以下の通りである。すなわち、ポイント付与サーバ４０において、前記したソフトウェアは、機能構成として、データ取得モジュール、ユーザ認証モジュール、及び変換モジュールを有する。これらの各モジュールがコンピュータに働きかけて、ＣＰＵ７００に行わせる処理は、それぞれ本実施例におけるポイント付与サーバ４０における、対応する部材の機能及び動作と同一であるから説明を省略する。
【００６０】
図１８に示した、記録媒体の一例としてのフロッピーディスク７１４またはＣＤ−ＲＯＭ７１８には、本出願で説明する全ての実施形態におけるポイント付与サーバ４０の動作の一部または全ての機能を格納することができる。
【００６１】
これらのプログラムは記録媒体から直接ＲＡＭに読み出されて実行されても、一旦ハードディスクドライブにインストールされた後にＲＡＭに読み出されて実行されてもよい。更に、上記プログラムは単一の記録媒体に格納されても複数の記録媒体に格納されてもよい。また記録媒体に格納されるモジュールは、オペレーティングシステムとの共同によってそれぞれの機能を提供してもよい。例えば機能の一部または全部を行うことをオペレーティングシステムに依頼し、オペレーティングシステムからの応答に基づいて機能を提供するものであってもよい。
【００６２】
記録媒体としては、フロッピーディスク、ＣＤ−ＲＯＭの他にも、ＤＶＤ等の光学記録媒体、ＭＤ等の磁気記録媒体、ＰＤ等の光磁気記録媒体、テープ媒体、磁気記録媒体、ＩＣカードやミニチュアーカードなどの半導体メモリー等を用いることができる。又、専用通信ネットワークや通信網に接続されたサーバシステムに設けたハードディスクまたはＲＡＭ等の格納装置を記録媒体として使用し、通信網を介してプログラムをポイント付与サーバ４０に提供してもよい。このような記録媒体は、ポイント付与サーバ４０を製造するためのみに使用されるものであり、そのような記録媒体の業としての製造および販売等が本出願に基づく特許権の侵害を構成することは明らかである。
【００６３】
（第２の実施例）
以下、本発明の第２の実施例のポイントシステム及び健康器具について、図面と共に詳細に説明する。図１９は本ポイントシステムの概要を説明するための構成図、図２０は第２の実施例のポイントシステムの手順を説明するためのフローチャート図、図２１は第２の実施例の健康器具の概観を示す概観図、図２２は第２の実施例の健康器具の内部構成を説明するためのブロック図、図２３はユーザが申請を行う際の画面の例を示す模式図、図２４はシリアル番号、プロダクトID、パスワードの例を説明するための図、図２５は管理サーバにおける認証処理手順の例を説明するためのフローチャート図である。
【００６４】
まず、本発明の第２の実施例の健康器具について図２１及び図２２を参照しながら説明する。
本発明で使用される健康器具は、主として家庭内で用いられる運動器具であり、
例えば、ステッパー、ダンベル、ツイスター、縄跳び用のロープ、ホッピング、バイク、ウォーカーなどと呼ばれる運動器具、歩数計（万歩計）などの運動回数を計測する計測具、体を使ってゲームを行うパーティーゲームなどが含まれる。
【００６５】
そして、図２２に示すように、ユーザがこれらの健康器具１００１を使用して運動を行うと、そのユーザの運動動作の回数が入力手段１０１１に入力される。そして、この入力手段１０１１に入力された運動動作の回数は、計測手段１０１２により計測されて、表示部１０１５に表示される。このことにより、ユーザは現在の運動回数を知ることができる。
【００６６】
また、健康器具１００１は、所定の入力回数と所定のパスワードとの記憶している記憶手段１０１３と、計測手段１０１２により計測された入力回数と記憶手段１０１３に記憶されている所定の入力回数とが入力され、これらの回数を比較する判断手段１０１４を備えている。そして、判断手段１０１４は入力手段１０１１による入力回数が所定回数になったときに、記憶手段１０１３に記憶されているパスワードを読み出して表示部１０１５に表示する。
【００６７】
健康器具１００１として歩数計を使用した場合のパスワードの表示例を図２１に示す。同図では、「マイレージチャンス」という表示と共に６桁のパスワード「１２３４５６」を表示して、このパスワードがマイレージポイントをためるのに使用できることをユーザに示している。
【００６８】
このように構成することにより、ユーザは健康器具を使用して運動を行い、所定回数（例えば１万回）の運動を行うと、表示部１０１５にパスワードが表示されることになる。そして、このパスワードは、所定回数の運動を行ったことを証明するものである。
【００６９】
なお、表示されるパスワードは、同じ種類の製品では同じパスワードを表示するようにしても良いが、製品番号などの本体固有の番号に基づいて生成するようにしてもよい。この場合、記憶手段１０１３には本体固有の番号に基づいて生成されたパスワードを記憶しておいても良いし、生成の元となる本体固有の番号と暗号化プログラムとを記憶しておき、暗号化プログラムにより生成されたパスワードを表示するようにしても良い。
【００７０】
また、記憶手段１０１３に、複数種類の所定回数とこれにそれぞれ対応する複数種類のパスワードを記憶（または生成可能に）しておき、入力手段により入力される入力回数に応じて異なるパスワードを表示するようにしても良い。図２１に示す歩数計の場合お例にとって説明すると、１０万歩ごとに異なるパスワードを表示し、地球一周分歩くとスペシャルなパスワードを表示するなどしても良い。そして、後述するポイントシステムにおいて、パスワードごとに異なるポイント（例えば歩数が多いほど大きなポイント）を与えるようにしても良い。
【００７１】
さらに、健康器具１００１がTVモニタ(図示せず)に接続して使用する種類のものである場合には、表示部を備えていなくても良く、運動回数やパスワードを健康器具１００１から出力してTVモニタに表示するようにしても良い。
【００７２】
次に、本発明のポイントシステムについて、図１９、図２０を中心に説明する。なお、ここでは、航空会社で提供されているマイレージシステムのポイントをためるようなシステムで説明するが、クレジットカード会社で提供されているカードポイントをためる場合であっても、図１９及び図２０とその説明中の「航空会社」、「マイレージ」がそれぞれ「カード会社」、「カードポイント」に変更されるたけで、システムそのものは同様にして実現することができる。
【００７３】
まず、ユーザ３はお店（通信販売やオンラインショッピングでも可）２から当該商品１０００を購入する（ステップ１１０１）。この商品には、商品分類番号１０２１と製品番号１０２２とからなるシリアル番号１０２３が付与された健康器具（本体１）、取扱説明書１０３１、マイレージバンク会員申込書１０３２、保証書１０３３が同梱されている。そして保証書１０３３には、シリアル番号１０２３の他に、製品ごとに異なる数字列（または英数字列や英数字記号列）１０２４とこの数字列１０２３を暗号化した暗号化データ列１０２５とからなるプロダクトID１０２６が記載されている。このプロダクトID１０２６または数字列１０２４もしくは暗号化データ列１０２５をシールもしくは銀コードなどにより、購入後にユーザが剥がすまでは見えないようにしておいても良い。また、製品ごとに異なる数字列１０２４は製造番号１０２２と同じ番号でも良い。（図２４参照）
【００７４】
そして、ユーザ３は、マイレージバンク会員申込書１０３２に所定事項を記載して航空会社５００に送付する（ステップ１１０２）。航空会社５００では、マイレージバンク会員申込書１０３２の記載内容に基づいてマイレージバンク会員登録を行い（ステップ１１０３）、マイレージバンク会員番号（マイレージバンク会員証）を発行してユーザ３に送付する（ステップ１１０４）。なお、このマイレージバンク会員申込書１０３２は通常に航空会社５００で使用されているものと同じものであり、ユーザ３がすでにその航空会社５００のマイレージバンク会員となっている場合には、この申し込み（ステップ１１０２〜１１０４）は不要である。
【００７５】
さて、ユーザ３は、健康器具１００１を使用して運動を行い（ステップ１１０５）、所定回数の運動を行うと（ステップ１１０６→Yes）、パスワードを得ることができる（ステップ１１０７）。
【００７６】
ユーザは、得られたパスワードをサービス提供企業４に連絡することで申請を行う（ステップ１１０８）。連絡方法は、電話、郵送、FAX、電子メールなどで受け付けても良いし、サービス提供企業４が運営しているホームページで受け付けても良い。さらに、サービス提供会社４が航空会社５００に委託して、航空会社５００が実際の受付業務を行っても良い。航空会社５００が実際の受付業務を行う場合は、後述する管理サーバ４００及びオペレータ６が航空会社５００内に存在することになるだけで、基本的な構成は同じである。以下、サービス提供会社４が電話により受付を行うものとして説明する。
【００７７】
ユーザ３はサービス提供企業４の受付電話番号へ電話をし、自動受付システムもしくはオペレータ６に少なくとも以下の事項を伝える。
（１）マイレージバンク会員番号（航空会社５００から連絡済み）
（２）シリアル番号１０２３（健康器具１００１及び保証書１０３３に記載）
（３）プロダクトID１０２６（保証書１０３３に記載）
（４）パスワード（所定回数の運動により表示）
（５）氏名、電話番号等（ユーザ３に連絡する必要が出たときに使用するため）
【００７８】
オペレータ６は、サービス提供企業４内の管理サーバ４００のキーボードや音声入力装置などの入力操作部４１０を操作して、（１）〜（６）の事項を入力する。なお、郵送、FAXなどで受け付けた場合も同様にして、入力操作部４１０の操作により、（１）〜（６）の事項を入力し、電子メールやホームページで受け付ける場合は、自動的に入力するように管理サーバ４００を構成しても良い。この場合、入力操作部４１０は電子メール受付システムやホームページサーバが相当することになる。また、ホームページで受け付ける場合の受付画面例を図２３に示す。
【００７９】
管理サーバ４００は、入力操作部４１０、処理を行うＣＰＵ４２０、処理のために必要なデータを一時的に記憶するＲＡＭ４３０、管理サーバ４００の基本的な動作に必要なプログラムが記載されているROM４４０、受付業務に必要な全てのプログラム及びデータベースと過去の受付記録が保存されているハードディスクドライブ（HDD）４５０、入力操作部４１０による入力内容や受付処理結果などをオペレータ６に知らせるための表示部４６０とを備えている。
【００８０】
そして、管理サーバ４００は、入力された各データをHDD４５０に記憶した後（ステップ１１０９）、認証処理を行う（ステップ１１１０）。ここで、管理サーバ４００における認証処理の例について図２５を参照しながら説明する。まず、HDD４５０内のデータベースを参照してパスワードの正当性（ステップ１２０１）とシリアル番号１０２３が当該健康器具１００１のシリアル番号１０２３として使用されていた番号の範囲内にあるかを確認する（ステップ１２０３）。次に、過去の記録を参照して同じシリアル番号１０２３が既に受け付けされていないかをチェックする（ステップ１２０５）。ここで、パスワードが違う、シリアル番号が異なるもしくは既に受け付けたシリアル番号である場合には、そのことをユーザ３に告知し、ユーザ３からの番号等の言い間違いの修正が無い場合には（ステップ１２０２、１２０４、１２０６→No）、受付できない旨をユーザ３に知らせて処理を修正する（ステップ１２０９）。
【００８１】
これらのデータが問題ない場合には、プロダクトID１０２６の認証を行う（ステップ１２０７）。前述したように、プロダクトID１０２６は製品ごとに異なる数字列（または英数字列）１０２４とこの数字列１０２４を暗号化した暗号化データ列１０２５とから構成されているので、受け付けたプロダクトID１０２６の数字列１０２４をHDD１０４５に記憶されているプログラムにより暗号化して、得られたデータ列が受け付けたプロダクトID１０２６に含まれる暗号化データ列１０２５と一致していれば、商品１０００を購入した正規のユーザ３であることを確認することができる。そして、一致していない場合にはユーザ３からの番号等の言い間違いがないかを確認した上で（ステップ１２０８）、受付できない旨をユーザ３に知らせて処理を終了する（ステップ１２０９）。
【００８２】
また、一致した場合には、マイレージポイント増加の受け付けができたことをユーザに知らせて受け付け処理を終了する（ステップ１２１０）。なお、ここでは管理サーバ４００においてプログラムにより数字列１０２４を暗号化して暗号化データ列を生成して照合（認証）しているが、HDD４５０のデータベース内に数字列１０２４と対応させて暗号化データ列も記憶しておき、このHDD４５０のデータベース内に記憶された暗号化データ列と受け付けた暗号化データ列１０２５とを照合するようにしても良い。
【００８３】
さらに、ここでは、マイレージバンク会員番号の照会を行っていないが、航空会社５００で受け付ける場合や航空会社５００のマイレージ管理システム５１０の顧客データベースが照会可能であれば、ユーザ３から受け付けたマイレージバンク会員番号の照会も行うようにして良い。
【００８４】
なお、サービス提供企業４で受け付ける場合は、航空会社５００のマイレージ管理システム５１０の顧客データベースを照会することが難しい場合があり、また、マイレージ管理システム５１０のデータベースの必要部分をサービス提供企業４に提供してもらう場合でも更新に時間がかかるので、リアルタイムでの正確な照合が困難である。しかしながら、プロダクトID１０２６の照合により、商品１０００の正規ユーザであることが確認できるので、本実施例のようにマイレージバンク会員番号の照会を行わなくても、問題は生じない。すなわち、マイレージバンク会員番号が不正または間違っていても、マイレージをためることができないだけであり、その場合はあとから（受付時に聞いた氏名、電話番号に）連絡して、正しいマイレージバンク会員番号を聞くまたはマイレージをためることができなかった旨を連絡するなどにより対処可能である。
【００８５】
正規に受付終了した後は、マイレージバンク会員番号とパスワードに対応して得られるマイレージ増加ポイント数を航空会社５００に送信し、航空会社５００のマイレージ管理システム５１０で管理しているマイレージポイントを増加させる（ステップ１１１１）。送信方法としては、オンラインによるリアルタイムまたはバッチ処理結果の送信を行う他に、FD、CD-R、Moなどの記憶媒体に記憶して送るようにしても良い。そして、このデータは、企業間で送受信されるお金に関するデータであるので、セキィリティーにも気をつける必要がある。したがって、送信方法の種類によって、適切な方法（暗号化する、証明書データを含めて送信するなど）を講じた上で送信するようにする。
【００８６】
以上で、ポイントシステムの処理は終了であるが、増加したマイレージポイントもしくはトータルのマイレージポイントをユーザ３に連絡する処理は通常のマイレージ管理システム５１０で行っている処理に含めて行えば良い。
【００８７】
また、増加させたマイレージポイントに対応する費用をサービス提供企業４が負担する場合は、航空会社５００がサービス提供企業４から受け取ったマイレージポイント数に対応する費用をサービス提供企業４に請求するか、サービス提供企業４から自動的に送信するようにする。いずれの場合でも、サービス提供企業４と航空会社５００の両方にマイレージポイント数に関するデータがあるので、それらを照合することで、費用負担に関する処理を明確に処理することができる。そして、サービス提供企業４は、商品１０００を販売した利益の中からマイレージポイント費用を捻出すれば良い。
【００８８】
以上説明したように、本実施例に係るポイントシステムでは、ユーザ３は購入した健康器具１００１を使用して運動を行うだけで新たな費用を発生させることなく、航空会社のマイレージポイントやクレジットカード会社のカードポイントをためることができる。
【００８９】
そして、ポイントをためるために健康器具１００１を使用することで、目標を持って継続的に運動することになり、健康の増進を図ることができる。
また、サービス提供企業４は、本発明のポイントシステムを利用して、商品１０００の販売宣伝活動を行うことができ、商品の販売拡大を見込むことができる。
さらに、航空会社５００は、マイレージバンク会員申込書を商品に同梱し、また、マイレージをためる手段が健康器具にまで拡大されることにより、自社のマイレージバンク会員の増加、ひいては航空機の利用増加を見込むことができ、利益の拡大に貢献することができる。
【００９０】
なお、本発明のシステムでは、何らかの方法により、パスワードが商品を購入した正規のユーザ以外に知られたとしても、マイレージ受付時にプロダクトIDの照合を行っているので、正規のユーザ以外はマイレージを所得することはできない。さらに、シリアル番号も併用して確認することで、出荷した製品数以上のユーザ数のマイレージを所得されることは不可能となり、悪意のある人に対してサービス提供企業やユーザが被害を被ることを防止できる。
【００９１】
そして、パスワードを製造番号（またはシリアル番号）を暗号化したものとした場合には、パスワードと製造番号（またはシリアル番号）とだけで認証を行うことができるので、プロダクトIDが無くても正規のユーザ確認を行うことができ、悪意のある人に対してサービス提供企業やユーザが被害を被ることを防止することができる。
【００９２】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００９３】
例えば、図２６に示すように、第１の実施例に係る運動器具１０において、識別情報格納部１１０の代わりに識別情報取得部１１５を設けてもよい。識別情報取得部１１５は、例えば外部入力装置を介して、ユーザから機器識別情報を取得する。
【００９４】
また、図２７に示すように、第１の実施例において、識別情報格納部１１０を設けずに、加工部１８０が、ユーザ情報格納部１２０から、性別、年齢、ユーザＩＤ等のユーザ情報を取得し、取得したユーザ情報を用いて文字列又は画像を加工する構成としてもよい。
【００９５】
また、運動器具１０の経過時間計測部１４０は、運動量計測部１５０からの入力をトリガーとして経過時間を計測してもよい。この場合、経過時間計測部１４０は、最初に運動量計測部１５０が運動を検知したときを、健康器具１０を最初に動かしたときと認知する。
【００９６】
また、第１の実施例のポイント付与サーバ４０は、シリアル番号に対応してポイントを付与してもよい。この場合、本発明に係る文字列はシリアル番号となる。また、付与ポイントデータベース３２０のデータ構成は、シリアル番号と付与ポイント数が対応する構成となる。
【００９７】
また、第１の実施例のポイント付与サーバ４０のデータ取得部３３０が取得する文字列又は画像は、出力部１７０が出力した文字列又は画像そのものでなくてもよい。例えば、画像が示す動物又は物体を示す単語であってもよい。この場合、付与ポイント格納部３２０は、単語とポイント数が対応するデータ構成となる。
【００９８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９９】
【発明の効果】
上記説明から明らかなように、本発明によれば、ユーザの実際の運動によってマイレージポイント又はカードポイントという金銭的な価値を持つポイントを付与することでユーザにポイントをためるという目標を持って運動してもらい、健康器具の継続的な使用を促す、健康器具、ポイント付与サーバ、ポイント付与システム、ポイント付与方法、及びプログラムを提供できる。
【図面の簡単な説明】
【図１】  本発明の第１の実施例であるポイントシステムの概要を説明するための構成図である。
【図２】  シリアル番号２３及びプロダクトＩＤ２６の構成の一例を示す。
【図３】  健康器具１０の構成の一例を示す。
【図４】  健康器具１０の一例である万歩計の平面概略図である。
【図５】  データ格納部１００のデータ構成の一例を示す。
【図６】  データ格納部１００のデータ構成の他の例を示す。
【図７】  ユーザ情報格納部１２０のデータ構成の一例を示す。
【図８】  ポイント付与サーバ４０の構成の一例を示す。
【図９】  ユーザ格納部３１０のデータ構成の一例を示す。
【図１０】  付与ポイント格納部３２０のデータ構成の一例を示す。
【図１１】  認証テーブル３５０のデータ構成の一例を示す。
【図１２】  本ポイント付与システムの全体の動作例を説明するフローチャートである。
【図１３】  図１２のステップＳ１６０の詳細を示す。
【図１４】  図１２のステップＳ１７０の詳細を示す。
【図１５】  図１２のステップＳ２００の詳細を示す。
【図１６】  図１２のステップＳ１８０において、文字列又は画像をホームページで受け付ける場合の、当該ホームページの構成例を示す。
【図１７】  健康器具１０のハードウェア構成の一例を示す図である。
【図１８】  ポイント付与サーバ４０のハードウェア構成の一例を示す図である。
【図１９】  本発明の第２の実施例のポイントシステムの概要を説明するための構成図である。
【図２０】  第２の実施例のポイントシステムの手順を説明するためのフローチャートである。
【図２１】  第２の実施例の健康器具の外観を示す
【図２２】  第２の実施例の健康器具の内部構成を説明するためのブロック図である。
【図２３】  ユーザが申請を行う際の画面お礼を示す模式図である。
【図２４】  シリアル番号、プロダクトＩＤ、及びパスワードの例を説明するための図である。
【図２５】  管理サーバにおける認証処理手順の例を説明するためのフローチャートである。
【図２６】  第１の実施例の健康器具１０の変形例を示す。
【図２７】  第１の実施例の健康器具１０の他の変形例を示す。
【符号の説明】
１０、１００１    健康器具
４０    ポイント付与サーバ
５１    ポイント管理システム
１００  データ格納部
１１０  識別情報格納部
１２０  ユーザ情報格納部（累積運動量保持部）
１３０  入力部
１４０  経過時間計測部
１５０  運動量計測部
１６０  積算部
１７０  出力部
１８０  加工部
１９０  表示部
３１０  ユーザ格納部
３２０  付与ポイント格納部
３３０  データ取得部
３４０  ユーザ認証部
３６０  変換部
４００  管理サーバ（ポイント付与サーバ）
５１０  マイレージ管理システム
【図１】
0003735284.tif 000002
【図２】
0003735284.tif 000003
【図３】
0003735284.tif 000004
【図４】
0003735284.tif 000005
【図５】
0003735284.tif 000006
【図６】
0003735284.tif 000007
【図７】
0003735284.tif 000008
【図８】
0003735284.tif 000009
【図９】
0003735284.tif 000010
【図１０】
0003735284.tif 000011
【図１１】
0003735284.tif 000012
【図１２】
0003735284.tif 000013
【図１３】
0003735284.tif 000014
【図１４】
0003735284.tif 000015
【図１５】
0003735284.tif 000016
【図１６】
0003735284.tif 000017
【図１７】
0003735284.tif 000018
【図１８】
0003735284.tif 000019
【図１９】
0003735284.tif 000020
【図２０】
0003735284.tif 000021
【図２１】
0003735284.tif 000022
【図２２】
0003735284.tif 000023
【図２３】
0003735284.tif 000024
【図２４】
0003735284.tif 000025
【図２５】
0003735284.tif 000026
【図２６】
0003735284.tif 000027
【図２７】
0003735284.tif 000028